(57)【特許請求の範囲】
【請求項１】
体腔内に挿入される挿入部の先端を構成する内視鏡先端部と、
観察像を矩形状の観察画面として表示手段に表示するための所定の視野範囲を備え、前記内視鏡先端部に設けられた対物レンズと、
前記視野範囲内に突出するとともに前記観察画面の対辺方向に相当する部分と対角方向に相当する部分とで形状を変化させた前縁部を備え、前記内視鏡先端部に設けられたフード部と、
を具備することを特徴とする内視鏡装置。
【請求項２】
体腔内に挿入される挿入部の先端を構成する内視鏡先端部と、
観察像を矩形状の観察画面として表示手段に表示するための所定の視野範囲を備え、前記内視鏡先端部に設けられた対物レンズと、
前記内視鏡先端部に対して前後方向に進退可能に設けられ、前方に移動されたときに前記視野範囲内に突出するとともに、前記観察画面の対辺方向に相当する部分と対角方向に相当する部分とで形状を変化させた前縁部を備えたフード部と、
を具備することを特徴とする内視鏡装置。
【請求項３】
観察像を矩形状の観察画面として表示手段に表示するための所定の視野範囲を備えた対物レンズを有する内視鏡先端部に対して着脱可能であるとともに、前記内視鏡先端部の所定位置に固定された時に、前記視野範囲内に突出するとともに前記観察画面の対辺方向に相当する部分と対角方向に相当する部分とで形状を変化させた前縁部を備えたことを特徴とする内視鏡用フード部材。
【請求項４】
観察像を矩形状の観察画面として表示手段に表示するための所定の視野範囲を備えた対物レンズを有する内視鏡先端部に対して進退可能に着脱されるとともに、前記内視鏡先端部の所定位置に移動された時に、前記視野範囲内に突出するとともに前記観察画面の対辺方向に相当する部分と対角方向に相当する部分とで形状を変化させた前縁部を備えたことを特徴とする内視鏡用フード部材。
【発明の詳細な説明】
【０００１】
【発明の属する技術分野】
本発明は体腔内に挿入される挿入部の先端部にフード等の移動部材が配設された内視鏡装置と内視鏡用フード部材に関する。
【０００２】
【従来の技術】
一般に、内視鏡として体腔内に挿入される挿入部の先端部に固定式のフードを取付け、このフードによって挿入部の先端面と体壁面との間の距離を一定に保った状態で、内視鏡観察や、処置を行なう構成のものがある。
【０００３】
【発明が解決しようとする課題】
しかしながら、挿入部の先端部に固定式のフードを取付けた内視鏡では挿入部の先端面からフードを必要量突出させた状態で取付けた場合に内視鏡の観察画面内にフードの一部が入って視野の一部が遮られるおそれがある。
【０００４】
また、電子内視鏡で観察像を表示するモニター画面が丸でなく、矩形に近い形状の場合、フードが単純な丸型だと、画面の対角方向は対辺方向よりも、フードによって遮られる量が大きくなる問題点があった。
【０００５】
本発明は上記事情に着目してなされたもので、その目的は、視野内に入るまでフードを突出させたものにおいて、より広い範囲の視野を確保出来る内視鏡装置と内視鏡用フード部材を提供することにある。
【０００６】
【課題を解決するための手段】
請求項１の発明は、体腔内に挿入される挿入部の先端を構成する内視鏡先端部と、観察像を矩形状の観察画面として表示手段に表示するための所定の視野範囲を備え、前記内視鏡先端部に設けられた対物レンズと、前記視野範囲内に突出するとともに前記観察画面の対辺方向に相当する部分と対角方向に相当する部分とで形状を変化させた前縁部を備え、前記内視鏡先端部に設けられたフード部と、を具備することを特徴とする内視鏡装置である。
【０００７】
請求項２の発明は、体腔内に挿入される挿入部の先端を構成する内視鏡先端部と、観察像を矩形状の観察画面として表示手段に表示するための所定の視野範囲を備え、前記内視鏡先端部に設けられた対物レンズと、前記内視鏡先端部に対して前後方向に進退可能に設けられ、前方に移動されたときに前記視野範囲内に突出するとともに、前記観察画面の対辺方向に相当する部分と対角方向に相当する部分とで形状を変化させた前縁部を備えたフード部と、を具備することを特徴とする内視鏡装置である。
【０００８】
請求項３の発明は、観察像を矩形状の観察画面として表示手段に表示するための所定の視野範囲を備えた対物レンズを有する内視鏡先端部に対して着脱可能であるとともに、前記内視鏡先端部の所定位置に固定された時に、前記視野範囲内に突出するとともに前記観察画面の対辺方向に相当する部分と対角方向に相当する部分とで形状を変化させた前縁部を備えたことを特徴とする内視鏡用フード部材である。
【０００９】
請求項４の発明は、観察像を矩形状の観察画面として表示手段に表示するための所定の視野範囲を備えた対物レンズを有する内視鏡先端部に対して進退可能に着脱されるとともに、前記内視鏡先端部の所定位置に移動された時に、前記視野範囲内に突出するとともに前記観察画面の対辺方向に相当する部分と対角方向に相当する部分とで形状を変化させた前縁部を備えたことを特徴とする内視鏡用フード部材である。
【００１０】
【発明の実施の形態】
以下、本発明の第１の実施の形態を図１（Ａ），（Ｂ）および図２（Ａ），（Ｂ）を参照して説明する。図１（Ａ）は内視鏡１の要部の概略構成を示すものである。この内視鏡１には体腔内に挿入される挿入部２の基端部に手元側の操作部３が連結されている。
【００１１】
また、挿入部２には細長い軟性部（可撓管部）４が設けられている。さらに、挿入部２の先端部に配設された先端硬質部５と軟性部４との間には例えば上下方向および左右方向に湾曲可能な湾曲部６が配設されている。
【００１２】
また、手元側の操作部３には湾曲部６の湾曲操作用の図示しない湾曲操作ノブが設けられているとともに、ユニバーサルコード７の基端部が連結されている。そして、このユニバーサルコード７の先端部に固定されたコネクタが図示しない光源装置に着脱可能に連結されるようになっている。
【００１３】
また、挿入部２の先端硬質部５には略円筒状のフード（移動部材）８が設けられている。このフード８は先端硬質部５の外周面に沿って挿入部２の軸心方向に移動可能に支持されている。なお、フード８は透明材料で形成されている。もちろん、不透明な材料でフード８を形成してもよい。
【００１４】
さらに、フード８の内周面には図１（Ｂ）に示すように接続ピン９が取付けられている。この接続ピン９にはフード８の操作ワイヤ１０の先端部が取付けられている。このワイヤ１０は挿入部２内に配設されたワイヤ管路１１内に挿通されている。このワイヤ管路１１の先端部は先端硬質部５に取付けられている。
【００１５】
また、この操作部３には大径な把持部１２とこの把持部１２と軟性部４との間に配設された小径部１３とが設けられている。そして、ワイヤ管路１１の基端部側は湾曲部６および軟性部４の中を通り、操作部３の小径部１３内に延設されている。
【００１６】
さらに、操作部３の小径部１３の外周面にはワイヤ管路１１の基端部側のワイヤ開口部１１ａが配設されている。そして、操作ワイヤ１０の基端部側はワイヤ管路１１内を通して操作部３側に延出され、ワイヤ管路１１のワイヤ開口部１１ａから操作部３の小径部１３の外に取出されている。
【００１７】
また、操作部３の把持部１２にはフード８を遠隔的に操作するフード操作機構１４が装着されている。このフード操作機構１４には把持部１２の外周面に支軸１５を中心に回動自在に支持された操作レバー１６と、把持部１２の内部に配設されたワイヤ操作機構１７とが設けられている。
【００１８】
ここで、操作レバー１６の基端部には把持部１２内に挿入された回動部材１８の基端部が一体的に取付けられている。この回動部材１８の先端部にはリンクアーム１９の一端部が回動軸２０を中心に回動自在に連結されている。
【００１９】
また、ワイヤ操作機構１７には操作部３のケーシングの内壁面に形成されたガイド溝２１内に挿入部２の軸心方向のみに移動自在に装着された連結部材２２が設けられている。この連結部材２２の基端部にはリンクアーム１９の他端部が回動軸２３を中心に回動自在に連結されている。
【００２０】
さらに、連結部材２２の先端部には操作部３の把持部１２の外側に配置されたワイヤ着脱部２４が設けられている。ここで、操作部３の把持部１２の先端部には連結部材２２を挿入部２の軸心方向に移動自在に挿通させる挿通口２５が形成されている。そして、連結部材２２はワイヤ着脱部２４が小径部１３の外面側に配置された状態で、挿通口２５を通して水密的に前後にスライドできるようになっている。
【００２１】
また、ワイヤ着脱部２４にはワイヤ管路１１のワイヤ開口部１１ａから操作部３の小径部１３の外に取出された操作ワイヤ１０の延出端部が挿入されるワイヤ受部２６と、このワイヤ受部２６内に挿入される操作ワイヤ１０の挿入方向と略直交する方向に形成されたねじ穴内に螺着された固定ねじ２７とが設けられている。
【００２２】
そして、ワイヤ受部２６内に操作ワイヤ１０が挿入された状態で固定ねじ２７を締め付けることにより、ワイヤ受部２６内に操作ワイヤ１０が挿入された状態で操作ワイヤ１０をワイヤ着脱部２４に強固に係止されるようになっている。ここで、固定ねじ２７の締め付けを緩めることにより、ワイヤ着脱部２４への操作ワイヤ１０の係止が解除され、操作ワイヤ１０をワイヤ受部２６内から引き抜くことができるようになっている。
【００２３】
さらに、操作部３の把持部１２には操作レバー１６の前後の回動範囲を規制する第１のストッパ２８および第２のストッパ２９がそれぞれ設けられている。そして、操作レバー１６の回動操作時にはこの操作レバー１６とともに回動部材１８が回動し、この回動部材１８の動作に連動してリンクアーム１９を介して連結部材２２がガイド溝２１に沿って挿入部２の軸心方向のみに進退駆動されて操作ワイヤ１０が挿入部２の軸心方向に進退駆動されるようになっている。
【００２４】
ここで、操作レバー１６が前方向に回動され、図１（Ａ）に示すように操作レバー１６が第１のストッパ２８に当接された状態で、フード８は最も後ろ側に位置されるようになっている。また、操作レバー１６が後方向に回動され、操作レバー１６が第２のストッパ２９に当接された状態で、図１（Ｂ）に示すようにフード８は最も前方に突出されるようになっている。このとき、フード８は挿入部２の前方側に突出された突出位置で保持され、先端硬質部５の先端面を体腔内の壁面から離間させた状態に保つようになっている。なお、図１（Ｂ）中で、Ｘはフード８の移動距離を示すものである。
【００２５】
また、図１（Ｂ）に示すようにフード８が最も前方の突出位置に突出された状態では、内視鏡１の対物レンズ３０の視野の中にフード８の前端部分が入るようになっている。このとき、図２（Ａ）に示すように内視鏡１のモニタの観察画面３１にはフード８の前縁部３２が表示され、内視鏡の観察画像におけるその前縁部３２より更に外側の部分はフード８により遮られるようになっている。
【００２６】
さらに、図１（Ａ）に示すようにフード８が最も後ろ側に位置された状態では、内視鏡１の対物レンズ３０の視野の中にフード８が入らないようになっている。このとき、図２（Ｂ）に示すように内視鏡１のモニタの観察画面３１にはフード８の前縁部３２が表示されない状態で保持され、内視鏡の観察画像３３がフード８により遮られることが防止されている。なお、操作レバー１６の上には湾曲部６を遠隔的に湾曲操作する図示しない湾曲操作ノブが支軸１５を中心に回転操作できるように設けられている。
【００２７】
次に、上記構成の作用について説明する。本実施の形態の内視鏡１の使用時には操作部３の操作レバー１６を前後方向に回動操作することで連結部材２２を挿入部２の軸心方向に沿って前後に進退操作することができ、この連結部材２２に接続したワイヤ１０を介してフード８を進退操作することができる。ここで、フード８を使わないときには操作レバー１６を前方向に回動させることにより、図１（Ａ）に示すようにフード８を最も後方に位置させる。この場合には、内視鏡１の対物レンズ３０の視野がフード８によって全く妨げられない状態で内視鏡１の挿入や、内視鏡観察や、処置具による処置等の作業を行なうことができる。
【００２８】
また、レバー１６を後方向に回動操作することで図１（Ｂ）に示すようにフード８を前方に突出させることができる。そのため、この場合にはフード８の先端部を生体壁に当接させることにより、内視鏡検査中に生体壁と内視鏡１の対物レンズ３０との間に一定の距離を保って観察処置を行なうことができる。
【００２９】
このように必要なときにだけフード８を前に出し、フード８が必要でないときは内視鏡１の対物レンズ３０の視野の妨げにならないようにフード８を後ろ側にとどめておくことができる。
【００３０】
また、固定ねじ２７を緩めることにより、ワイヤ１０の手元側端部を連結部材２２のワイヤ着脱部２４から外すことができる。これにより、ワイヤ１０及びフード８のユニットを内視鏡１から取外すことができるので、従来に比べてフード８と先端硬質部５との間やワイヤ管路１１の内部の洗浄消毒作業が容易になり、その作業時間を短縮することができる。
【００３１】
なお、形や、形状や、サイズの異なる複数種類のフード８を予め準備し、これらの複数のフード８のうちから必要に応じて好適な種類のフード８を同じ内視鏡１に対して選択的に着脱する構成にしてもよい。
【００３２】
また、フード８とワイヤ１０とのユニットをディスポーザブル的に使用してもよい。この場合には内視鏡１の使用後のフード８とワイヤ１０とのユニットの洗浄・消毒の手間も省ける。
【００３３】
そこで、上記構成のものにあっては次の効果を奏する。すなわち、フード８の操作ワイヤ１０の基端部とワイヤ操作機構１７の連結部材２２との間のワイヤ連結部にワイヤ着脱部２４を設け、このワイヤ着脱部２４にワイヤ１０を着脱可能に連結したので、内視鏡検査後、ワイヤ着脱部２４でワイヤ１０の連結を外すことにより、挿入部２の先端硬質部５からフード８を外した状態で能率良く内視鏡１全体を洗浄消毒できる。そのため、従来に比べて内視鏡１の先端硬質部５及びワイヤ管路１１内の洗浄消毒がしやすくなる。
【００３４】
また、ワイヤ１０と連結部材２２との着脱部分であるワイヤ着脱部２４は操作部３の把持部１２より前方に配置されているので、使用者が操作部３を把持する際にワイヤ着脱部２４が邪魔になるおそれがない。
【００３５】
さらに、フード８の操作レバー１６は把持部１２の後端部位置に配置されているので、操作部３を把持する際にこのレバー１６が邪魔にはならず、また使用者が操作部３を把持した指で簡単にレバー１６を操作することができる。
【００３６】
また、仮に連結部材２２のワイヤ着脱部２４が図１（Ａ）の把持部１２の一部に配置されていたとしても、把持部１２を把持した手が当たらない位置にワイヤ着脱部２４が配置されていればよい。例えば、図１（Ａ）の状態であれば、把持する使用者の手の平は紙面裏側に配置されるので、この場合には図１（Ａ）の回動軸２３が配置されている部分の付近に連結部材２２のワイヤ着脱部２４を配置することにより、把持部１２を把持した使用者の手の平が連結部材２２のワイヤ着脱部２４に当たるおそれがない。さらに、この場合には把持部１２を把持した使用者の手の指もワイヤ着脱部２４にかからない位置なので、邪魔にならない。このように、把持部１２上ではあっても把持部１２における手の平との接触面とは反対側の面に連結部材２２のワイヤ着脱部２４を配置してもよい。
【００３７】
なお、内視鏡の観察画像３３は略矩形形状をしているので、図１（Ｂ）に示すようにフード８が最も前方の突出位置に突出され、内視鏡１の対物レンズ３０の視野の中にフード８の前端部分が挿入された状態でフード８の前縁部３２によって内視鏡１の観察画像が遮られる量は内視鏡１の観察画像の対辺方向では比較的少ないが、対角方向では遮られる量が多くなる。
【００３８】
そこで、フード８の先端側を略矩形形状にしてその対辺方向と対角方向の長さを内視鏡１のモニタの観察画面３１に合わせることにより、フード８の突出量が同じ場合でも図２（Ｂ）に示すようにフード８の前縁部３２によって対辺方向と対角方向との遮られる量をほぼ同じ量に調整することが出来る。
【００３９】
また、図３は第１の実施の形態の内視鏡１のフード８の変形例を示すものである。これは、フード８の先端部に山谷を設けて、内視鏡１のモニタの観察画面３１における対辺方向にあたる部分を山部３４とし、対角方向にあたる部分を谷部３５としたものである。この場合には、フード８の最大突出量は、図１（Ｂ）と同じであっても、内視鏡１のモニタの観察画面３１で見たときに図２（Ｂ）のように対角方向により広く視野を確保する事が出来る。
【００４０】
また、図４は本発明の第２の実施の形態を示すものである。これは、第１の実施の形態の内視鏡１の先端硬質部５に略円筒状の軟性フード４１を設けたものである。
【００４１】
ここで、内視鏡１の先端硬質部５の本体４２には先端部外周面にフード４１の移動方向に延設された直線状のガイド溝４３が形成されている。そして、軟性フード４１の基端部内周面にはこのガイド溝４３に挿入される内方突出部４４が突設されている。さらに、軟性フード４１の内方突出部４４にはガイド溝４３と同方向に延設された貫通孔４５が穿設されている。
【００４２】
また、軟性フード４１の操作ワイヤ１０の先端部はワイヤ着脱部を構成する爪部材４６の基端部に取付けられている。この爪部材４６の先端部側には係止爪４７が形成されている。そして、この爪部材４６の先端部側は軟性フード４１の貫通孔４５の中に挿入され、この爪部材４６の先端部側の係止爪４７が貫通孔４５の内壁面に引っ掛かった状態で係脱可能に係止されている。そのため、軟性フード４１は爪部材４６に対して着脱自在に連結されている。ここで、爪部材４６を貫通孔４５の中に押し込むことにより、小さな力で軟性フード４１に爪部材４６を取付けることが可能である。
【００４３】
また、軟性フード４１と爪部材４６との連結時には軟性フード４１の貫通孔４５に挿入された爪部材４６の係止爪４７が貫通孔４５の内壁面にくい込んでいるので、ある程度強い力をかけて爪部材４６を手元側に引っ張ることによって軟性フード４１と爪部材４６との間の係合を解除して爪部材４６を軟性フード４１の貫通孔４５の外に取外すことができる。
【００４４】
また、爪部材４６の基端部には先端硬質部本体４２に形成された操作ワイヤ１０のガイド孔４８および軟性フード４１の貫通孔４５よりも大径なストッパ４９が形成されている。そして、このストッパ４９によって爪部材４６全体が先端硬質部本体４２のガイド孔４８および軟性フード４１の貫通孔４５に挿入されることが防止されている。
【００４５】
なお、内視鏡１の操作部３側では第１の実施の形態で説明した操作レバー１６の操作によって操作ワイヤ１０を介して軟性フード４１の遠隔操作が可能になっているが、操作部３ではワイヤ１０の手元側端部が必ずしも第１の実施の形態のように着脱可能な構成になっている必要は無い。
【００４６】
そこで、本実施の形態では次の効果を奏する。すなわち、本実施の形態では内視鏡１の先端硬質部５に軟性フード４１を設け、この軟性フード４１の貫通孔４５に操作ワイヤ１０の先端の爪部材４６を挿入することにより、軟性フード４１に操作ワイヤ１０側の爪部材４６を着脱可能に連結するようにしたので、内視鏡検査後、爪部材４６を軟性フード４１の貫通孔４５の外に取外すことにより、挿入部２の先端硬質部５からフード４１を外した状態で能率良く内視鏡１全体を洗浄消毒できる。そのため、本実施の形態でも第１の実施の形態と同様に従来に比べて内視鏡１の先端硬質部５の洗浄消毒がしやすくなる。
【００４７】
また、本実施の形態では特に、操作ワイヤ１０は内視鏡１から外す必要がない。そのため、先端硬質部５にフード４１を着脱するためにワイヤ管路１１の中にワイヤ１０を出し入れする面倒な作業を省略することができるので、先端硬質部５へのフード４１の着脱作業が容易になる。そして、フード４１を内視鏡１の先端硬質部５に取付ける場合にもワイヤ１０をワイヤ管路１１の中に挿入する作業を省略できるので、フード４１の取付け作業が容易になる。
【００４８】
さらに、異なるフード４１を使う場合でもワイヤ１０は共通で使うことができるので、複数のフード４１を選択的に使用する際に各フード４１毎に専用の操作ワイヤ１０を使用する場合に比べてコスト低下が図れる。
【００４９】
また、色や、形や、大きさ等が事なる様々な種類の複数の軟性フード４１を予め準備し、その中から必要に応じて好適な軟性フード４１を選択的に同じ爪部材４６に対して着脱自在に取付ける構成にしてもよい。
【００５０】
また、第１の実施の形態と同様に操作ワイヤ１０を内視鏡１に対して着脱自在にしてもよい。この場合には第１の実施の形態と同様にワイヤ管路１１の中が洗浄しやすくなる。
【００５１】
また、図５および図６は本発明の第３の実施の形態を示すものである。これは、内視鏡１の挿入部２とは別体の外付けのワイヤ管路５１を設け、このワイヤ管路５１の先端側を内視鏡１の挿入部２の先端側外周面に固定バンド５２によって着脱自在に固定するとともに、第１実施の形態のフード８の操作ワイヤ１０をこのワイヤ管路５１内に挿通させる構成にしたものである。この場合、ワイヤ管路５１は操作ワイヤ１０及びフード８とともにユニット化されて操作ワイヤユニット５３が形成されている。
【００５２】
さらに、ワイヤ管路５１の手元端部にはリング状の固定用部材５４が取付けられている。この固定用部材５４の外周面には溝部５５が形成されている。この場合、内視鏡１の操作部３にはワイヤ管路５１の固定ピン５６が突設されている。そして、ワイヤ管路５１の固定用部材５４の溝部５５がこの固定ピン５６に嵌め込まれるようになっている。
【００５３】
また、ワイヤ管路５１の手元側端部からは操作ワイヤ１０の手元側端部が延出されている。この操作ワイヤ１０の延出端部にはラック５７が取付けられている。この場合、フード８の操作レバー１６の基端部にはこのラック５７に噛合するピニオン５８と、このピニオン５８と並設される切欠部５９とが形成されている。
【００５４】
さらに、内視鏡１の操作部３には支軸１５に対して操作レバー１６の先端部側とは反対側に受け台６０が配設されている。また、ワイヤ管路５１の固定用部材５４を操作部３の固定ピン５６に固定した状態では操作部３上の受け台６０とレバー１６の下の切欠部５９との間にラック５７が配置されるようになっている。
【００５５】
そして、操作レバー１６の回動操作時にはこの操作レバー１６の回動動作がピニオン５８とラック３８との噛合部を介して操作ワイヤ１０の進退動作に変換され、この操作ワイヤ１０がフード８の移動方向に進退駆動されるようになっている。
【００５６】
そこで、本実施の形態では次の効果を奏する。すなわち、本実施の形態ではフード８と、操作ワイヤ１０と、ワイヤ管路５１とを一体的にユニット化した操作ワイヤユニット５３を設け、この操作ワイヤユニット５３の先端部を固定バンド５２によって内視鏡１の挿入部２の先端側外周面に着脱自在に固定するとともに、ワイヤ管路５１の基端部の固定用部材５４を操作部３の固定ピン５６に着脱可能に連結するようにしたので、内視鏡検査後、操作ワイヤユニット５３を内視鏡１の挿入部２から取外すことにより、挿入部２の先端硬質部５からフード８を外した状態で能率良く内視鏡１全体を洗浄消毒できる。そのため、本実施の形態でも第１の実施の形態と同様に従来に比べて内視鏡１の先端硬質部５の洗浄消毒がしやすくなる。
【００５７】
また、本実施の形態では特に、フード８の使用が不要となる検査の場合には、フード８と、操作ワイヤ１０と、ワイヤ管路５１とからなる操作ワイヤユニット５３を内視鏡１の挿入部２に装着しない状態で使用することができる。従って、この場合には内視鏡１の挿入部２が細径のままで内視鏡検査が行える利点がある。
【００５８】
そして、フード８を使用する検査の場合に限って、フード８及びワイヤ１０及びワイヤ管路５１の操作ワイヤユニット５３の先端部を固定バンド５２によって内視鏡１の挿入部２の先端部に固定し、操作部３側では固定ピン５６に対して固定用部材５４を位置決め固定した状態にセットする。このとき、レバー１６を操作していない場合には、ラック５７とピニオン５８とが噛み合っていないので、操作ワイヤユニット５３の基端部の着脱作業は容易である。
【００５９】
また、操作ワイヤユニット５３が内視鏡１の挿入部２にセットされた状態でレバー１６を操作すると、ピニオン５８がラック５７と噛み合い、ラック５７を前後方向に進退操作することができ、先端のフード８を進退操作できる。この場合、ワイヤ管路５１の手元側が操作部３の固定ピン５４によって位置決めされているので、ワイヤ１０が前後方向に移動してもワイヤ管路１１は移動することは無く、良好な機能を確保できる。
【００６０】
なお、フード８と、操作ワイヤ１０と、ワイヤ管路５１とからなる操作ワイヤユニット５３をディスポーザブル的に使用してもよい。この場合には内視鏡１の使用後のフード８と、操作ワイヤ１０と、ワイヤ管路５１とからなる操作ワイヤユニット５３の洗浄・消毒の手間も省ける。
【００６１】
また、図７および図８は本発明の第４の実施の形態を示すものである。これは、カバー式内視鏡７１に本発明を適用したものである。すなわち、本実施の形態
のカバー式内視鏡７１には体腔内に挿入される挿入部７２の周囲を覆う挿入部カバー７３が取付けられている。
【００６２】
この挿入部カバー７３には図７に示すように内視鏡７１の先端硬質部７４を覆う先端カバー７５と、内視鏡７１の湾曲部７６および図示しない軟性部を覆う外皮チューブ７７と、図８に示すように内視鏡７１の手元側の操作部７８を覆う手元口体部７９とが設けられている。
【００６３】
また、挿入部カバー７３の先端カバー７５には略円筒状のフード８０が挿入部７２の軸心方向に移動可能に設けられている。このフード８０には操作ワイヤ８１の先端部が取付けられている。この操作ワイヤ８１が挿通されるワイヤ管路８２の先端部は先端カバー７５の後端部に取付けられている。
【００６４】
また、挿入部カバー７３の手元口体部７９は内視鏡７１の手元側の操作部７８に対して固定されている。さらに、この手元口体部７９にはワイヤ管路８２の後端部が固定されている。そして、ワイヤ管路８２の手元側端部から延出された操作ワイヤ８１の手元側端部は第３の実施の形態と同様な構成によって内視鏡７１の操作部７８に着脱可能に固定されている。
【００６５】
なお、内視鏡７１の操作部７８は操作部カバー８３によって覆われている。また、挿入部カバー７３の外皮７７の手元側には図８に示すように細径部８４が形成されている。そして、内視鏡７１の挿入部７２を把持した際にこの細径部８４の部分によって外皮７７ごしに挿入部７２を把持し易くなっている。
【００６６】
さらに、挿入部カバー７３の外皮７７の細径部８４の裏面側に熱によって粘着質になる粘着部を設けてもよい。この場合には、外皮７７の細径部８４の裏面側の粘着部に熱をかけることによって、挿入部カバー７３の中の挿入部７２と外皮７７及びワイヤ管路８２（及び図示しない処置具挿通チャンネル等）をまとめて粘着することができ、挿入部７２を更に把持し易くすることができる。
【００６７】
そこで、本実施の形態では内視鏡検査前にカバー式内視鏡７１に対して新しい挿入部カバー７３をかぶせることによって、このカバー式内視鏡７１は洗浄消毒が不要となる。さらに、挿入部カバー７３にはフード８０、操作ワイヤ８１、ワイヤ管路８２が設けられているので、内視鏡検査後に内視鏡７１から取外した挿入部カバー７３を捨てればフード８０、ワイヤ８１、ワイヤ管路８２の部分の洗浄消毒も不要である。
【００６８】
したがって、本実施の形態ではフード８０とその進退操作機構の構成要素であるワイヤ８１、ワイヤ管路８２がディスポーザブル的に使用される挿入部カバー７３に取付けられているので、カバー式内視鏡７１側は洗浄消毒が全く不要である。
【００６９】
また、図９は本発明の第５の実施の形態を示すものである。本実施の形態では第１の実施の形態のように先端硬質部５を覆うフード８に代えて細い棒状の当接部材９１を内視鏡１の先端硬質部５に進退自在に設けたものである。この当接部材９１を進退操作させる機構は第１の実施の形態のフード操作機構１４と同様である。すなわち、この当接部材９１の基端部に第１の実施の形態のフード操作機構１４の操作ワイヤ１０の先端部が固定されている。
【００７０】
そして、本実施の形態ではこの当接部材９１を図９中に点線で示すように先端硬質部５の前方に突出させて生体壁９２に当接させることにより、生体壁９２と内視鏡１の先端硬質部５の対物レンズ３０との間を一定の距離に保つことができる。また、当接部材９１が最も前方の突出位置に保持されている場合には図９に示すように対物レンズ３０の視野内にこの当接部材９１が入るが、この当接部材９１が最も後方位置に移動された状態では対物レンズ３０の視野の範囲外に配置されるようになっている。
【００７１】
そこで、本実施の形態では通常は当接部材９１を最も後方に位置させて対物レンズ３０の視野の中に当接部材９１が入らない状態で使用され、必要なときにだけ当接部材９１を前方に突出させて生体壁９２との間を一定の距離に保つことができる。さらに、本実施の形態の当接部材９１は細い棒状部材なので、先端硬質部５の全体を覆う略円筒状のフード８を使用する場合に比べて先端硬質部５を細径化することができる。
【００７２】
なお、本発明は上記実施の形態に限定されるものではなく、本発明の要旨を逸脱しない範囲で種々変形実施できることは勿論である。
【００７３】
次に、本出願の他の特徴的な技術事項を下記の通り付記する。
【００７４】
記
（付記項１）  観察光学系を有し体腔内に挿入される挿入先端部と体腔壁とを所望の間隔に保つように進退自在に前記挿入先端部に設けられた移動部材と、この移動部材に先端が連結され手元側端部を前記挿入部の手元側に設けられた操作部に導かれるワイヤと、前記ワイヤの手元側端部を連結して前記ワイヤと移動部材を進退させる前記操作部に設けられた進退操作機構とを有する内視鏡において、前記移動部材と前記ワイヤまたは前記ワイヤと前記進退操作機構との連結部の少なくとも一方を前記ワイヤと着脱自在にしたことを特徴とする内視鏡。
【００７５】
（付記項１の従来技術）  内視鏡先端部に配設された観察光学系と体腔壁との間を所望の距離に保って観察するために内視鏡先端部にフードを設けた内視鏡がある。
【００７６】
（付記項１の解決課題）  このようなフードによって内視鏡の視野の一部が遮られることがあった。そこで、このような不具合を防止するために、フードを内視鏡挿入軸方向に移動可能にしたものがあった。この移動可能なフードは、フードと手元側の操作部をワイヤでつなぎ、ワイヤを管路の中に挿通するものであり、フードとワイヤの着脱ができない。内視鏡は、一症例毎に洗浄消毒するものであり、フードとワイヤとその管路を有する内視鏡の洗浄消毒は、非常に困難であった。
【００７７】
そこで、フードとワイヤ、ワイヤと操作部を着脱自在に連結するように構成すれば、これらの連結を解いて内視鏡の洗浄消毒が行えるのでその作業が容易になる。
【００７８】
（付記項１の目的）  上記のような洗浄性の良い内視鏡を提供するものである。
【００７９】
（付記項２）  挿入部と操作部を有し、挿入部先端に先端面より突出して進退自在の移動部材を設け、移動部材にワイヤの先端を接続し、操作部にワイヤ及び移動部材を進退させる進退操作機構を設け、ワイヤ手元端を進退操作機構の一部に接続した内視鏡において、移動部材とワイヤの接続部又はワイヤと進退操作機構の接続部の少なくとも一方を着脱自在にしたことを特徴とする内視鏡。
【００８０】
（付記項２の目的）  先端に設けたフードを手元側で進退操作可能な内視鏡の洗滌消毒性を向上する内視鏡を提供することにある。
【００８１】
（付記項２の課題を解決するための手段）  フードとワイヤの接続部またはワイヤと進退操作部との接続部を着脱自在にしたことによって、検査後にはフードをスコープから外すことが出来るので、スコープの洗滌消毒性を向上出来る。
【００８２】
（付記項２の効果）  内視鏡先端に設けた移動部材を手元側で進退操作可能な内視鏡において、洗滌消毒性を向上することが出来る。
【００８３】
（付記項３）  上記付記項２において、移動部材とワイヤの接続部を着脱自在にしたことを特徴とする内視鏡。
【００８４】
（付記項４）  上記付記項３において、同一のワイヤに異なる移動部材を着脱自在にしたことを特徴とする内視鏡。
【００８５】
（付記項５）  上記付記項２において、ワイヤと進退操作機構の接続部を着脱自在にしたことを特徴とする内視鏡。
【００８６】
（付記項６）  上記付記項５において、接続部は操作部の把持部以外としたことを特徴とする内視鏡。
【００８７】
（付記項７）  上記付記項５において、接続部は操作部把持部の手の平接触面と対になる面に設けたことを特徴とする内視鏡。
【００８８】
（付記項８）  上記付記項５において、同一の内視鏡に異なる移動部材を着脱自在にしたことを特徴とする内視鏡。
【００８９】
（付記項９）  上記付記項５において、接続部の固定手段はビスによることを特徴とする内視鏡。
【００９０】
（付記項１０）  上記付記項５において、接続部の固定手段はラック・ピニオン方式によることを特徴とする内視鏡。
【００９１】
（付記項１１）  上記付記項１０において、レバー操作時以外は非固定で、レバー操作時のみ固定状態になるようにしたことを特徴とする内視鏡。
【００９２】
（付記項１２）  上記付記項５において、内視鏡と別体の移動部材、ワイヤ、ワイヤ管路を内視鏡に着脱自在としたことを特徴とする内視鏡。
【００９３】
（付記項１３）  上記付記項１２において、ワイヤ管路の手元側を内視鏡に位置決め固定可能にしたことを特徴とする内視鏡。
【００９４】
（付記項１４）  上記付記項２において、内視鏡に着脱自在の内視鏡カバーに移動部材、ワイヤ、ワイヤ管路を設け、ワイヤ手元端を内視鏡操作部に着脱自在にした。
【００９５】
（付記項１５）  上記付記項２において、移動部材が最も後方にある時は視野外であり、最も先端にある時は視野内になる。
【００９６】
（付記項１６）  観察像を略矩形の画面で表示する内視鏡において、内視鏡の先端に設けたフードの開口形状を前記画面形状に合わせたことを特徴とする内視鏡。
【００９７】
（付記項１６の従来技術）  体壁と一定の距離を保って、観察処置するのにフードを付けることが周知の技術であった。
【００９８】
（付記項１６の解決課題）  この様に必要な距離を保って観察処置するときフード先端が観察視野の中に入ることがあった。電子内視鏡で観察像を表示するモニター画面が丸でなく、矩形に近い形状の場合、フードが単純な丸型だと、画面の対角方向は対辺方向よりも、フードによって遮られる量が大きくなる問題点があった。
【００９９】
（付記項１６の目的）  視野内に入るまでフードを突出させたものにおいて、より広い範囲の視野を確保出来る内視鏡を提供することである。
【０１００】
（付記項１６の課題を解決するための手段）  フードの先端部において画面の対角方向にあたる部分の形状を対辺方向にあたる部分とは変化させたことにより画面の対角方向のフードに遮られる部分が少なくなるようにした。
【０１０１】
（付記項１６の効果）  内視鏡先端に付けたフードが観察視野内に入るものにおいてより広い範囲の視野を確保することが出来る。
【０１０２】
（付記項１７）  上記付記項１６において、フード開口形状を略矩形とし、画面の対辺方向、対角方向とフードの対辺方向、対角方向を一致させて固定可能にしたことを特徴とする内視鏡。
【０１０３】
（付記項１８）  上記付記項１６において、フード先端に軸方向の山谷を設け、画面の対辺方向にあたる部分を谷部、画面の対角方向に当たる部分を山部にしたことを特徴とする内視鏡。
【０１０４】
【発明の効果】
本発明によれば内視鏡先端に付けたフードが観察視野内に入るものにおいてより広い範囲の視野を確保することが出来る。
【図面の簡単な説明】
【図１】  （Ａ）は本発明の第１の実施の形態における内視鏡の概略構成図、（Ｂ）は第１の実施の形態の内視鏡のフードの突出動作を説明するための説明図。
【図２】  （Ａ）は第１の実施の形態の内視鏡のフードが最大後退位置に移動された際のモニタの観察画面を示す平面図、（Ｂ）は第１の実施の形態の内視鏡のフードが最大突出位置に移動された際にフードによって視野の一部が遮られた状態のモニタの観察画面を示す平面図。
【図３】  第１の実施の形態の変形例におけるフードの先端部形状を示す側面図。
【図４】  本発明の第２の実施の形態を示す要部の縦断面図。
【図５】  本発明の第３の実施の形態の内視鏡の先端部を示す側面図。
【図６】  第３の実施の形態のワイヤ操作機構の概略構成図。
【図７】  本発明の第４の実施の形態を示す要部の縦断面図。
【図８】  第４の実施の形態の内視鏡の手元側の操作部周辺部位を示す側面図。
【図９】  本発明の第５の実施の形態を示す要部の縦断面図。
【符号の説明】
２    挿入部
３    操作部
８、８０    フード（移動部材）
１０  操作ワイヤ
１１  湾曲操作ワイヤ
１７  ワイヤ操作機構
２４  ワイヤ着脱部
４１  軟性フード（移動部材）
４６  爪部材（ワイヤ着脱部）
９１  当接部材（移動部材）
【図１】
0003686876.tif 000002
【図２】
0003686876.tif 000003
【図３】
0003686876.tif 000004
【図４】
0003686876.tif 000005
【図５】
0003686876.tif 000006
【図６】
0003686876.tif 000007
【図７】
0003686876.tif 000008
【図８】
0003686876.tif 000009
【図９】
0003686876.tif 000010